(57)【特許請求の範囲】
【請求項１】
取り付け部と掴み部との間に貫通孔を穿設し、掴み部への熱の伝わりを少なくした合成樹脂製の把手において、成型のパートラインを貫通孔の開口端とし、貫通孔の開口端表面に開口端に接近させてリブを突出形成したことを特徴とする調理器用把手。
【請求項２】
開口端表面に形成するリブは、開口を周回させて配置してなる請求項１記載の調理器用把手。
【請求項３】
貫通孔以外の把手外表面のパートラインを厚みの中間部分に形成してなる請求項１又は２記載の調理器用把手。
【発明の詳細な説明】
【０００１】
【発明の属する技術分野】
本発明はホットプレートや電気なべその他の加熱調理器用の把手の構造に関する発明である。
【０００２】
【従来の技術】
ホットプレートなどの加熱調理器用の合成樹脂製の把手は、調理体や蓋といった高温に加熱される部材に装着するため、把手全体が高温となり取扱いに困ることがある。把手全体が高温に加熱されることを回避するため、図９に示すように把手Ａの取付部A1と掴み部A2との間に貫通孔Ｂを穿設し、掴み部A2への熱の伝わりを少なくした把手の構造が工夫されている。この場合、把手は常に手指が触れるものであるため、安全上図９に拡大して示すように開口端に丸みＣを形成しておく必要がある。このような構造の把手を成型する場合、上型と下型の構造が複雑になり、パートラインＤを厚みの中心付近、換言すれば貫通孔の内部に位置させる必要があった。すなわち、上型Ｅと下型Ｆの当接面Ｇが貫通孔の内部に位置することになる。
【０００３】
【発明が解決しようとする課題】
合成樹脂材で成型する把手に貫通孔を穿設し、そのパートラインを厚みの中心に設定すると、成型加工の常としてパートラインにはラインが表れるだけでなく金型の磨滅などによってバリが形成されることがある。また、金型のズレによってパートラインに段が形成されることもある。この場合、バリなどの除去加工を施して製品として完成する必要がある。ところが、貫通孔の内部の前記仕上げ加工は困難なものとなる欠点があった。バリの発生や金型のズレによる段の発生を回避するためには、精密な金型を必要とする。本発明は、上記従来技術の欠点に鑑み、貫通孔の内部にパートラインが形成されず、安全に使用することができる調理器用把手を容易に提供することを目的とするものである。
【０００４】
【課題を解決するための手段】
上記の目的を達成するため、成型のパートラインを貫通孔３の開口端とし、貫通孔３の開口端の一方の表面に開口端に接近させてリブ５を突出形成する。これにより、貫通孔３の内部にパートラインが位置せず、バリなどが発生することがない。この場合、貫通孔３の開口端にエッジが形成される形状となり、ここにバリが発生する可能性がある。しかしながら、開口端であるためバリが発生しても、容易に除去することができるとともに、開口端に接近させてリブ５を突出形成することによって、例え開口端がエッジ形状に形成されるものであっても、手指が触れるのを防止し安全に使用することができる。また、上型６と下型７とにズレが発生しても、貫通孔の内部に段が形成されることがなくなる。なお、開口端に接近させて配置するリブ５は、貫通孔３の開口縁の部分に形成するものであってもよいが、開口縁から少し離れた位置に形成するようにすると、多少上型６と下型７がズレても支障なくリブを成型することができる。
【０００５】
貫通孔３は、把手１の取り付け部1aと掴み部1bとの間に配置する。そしてリブ５は、貫通孔３の開口端表面に開口端に接近させて形成するため、開口端に手指が触れるのを防止することができる。開口端表面に形成するリブ５は、把手１の掴み部1b側にのみ形成することで、おおむね開口端に手指が触れるのを防止することができる。しかしながら、貫通孔の開口端を周回させてリブ５を配置すると、貫通孔３を把手１の取り付け部1aから離れた位置にも配置することができる。なお貫通孔部分以外の外表面のパートラインを、厚みの中間部分に形成すると、把手１の上下の外周縁にエッジが形成されない、全体に丸みのある形状とすることができる。
【０００６】
【発明の実施の形態】
以下、本発明に係る調理器用把手の実施の形態を、添付の図に基づいて説明する。
図１は、把手１を調理体に装着した状態の一例を示す縦断面図、図２は図１の把手の貫通孔部分の拡大縦断面図、図３はその型の縦断面図である。
【０００７】
図１はホットプレートの調理体２に取り付け金具４を利用して装着した把手の一例を示している。この把手１は、取り付け部1aと掴み部1bとの間に幅の狭い貫通孔３を穿設し、調理体２の熱が取り付け部1aから掴み部1bに伝わるのを防止している。すなわち、調理体から取り付け部1aに伝わった熱が、貫通孔３の存在によって直接伝わらず、貫通孔を通過する空気によって冷却される。
【０００８】
図２に示すように貫通孔３の開口端表面には、図面上の下面に貫通孔３の開口端に接近させてリブ５を突出形成している。この際、図３に示すように上型６に貫通孔成型部８を設け、下型７とのパートラインを貫通孔の下端面に設定している。すなわち、リブ５を形成するためのリブ成型溝９は下型７の表面に形成している。
【０００９】
図３における、上型６と下型７の組み合わせにおいて、貫通孔３の開口端縁のうち、上端開口縁3aは上型の形状によって丸みを形成し、手指が触れても安全な形状とすることができるが、下端開口縁の形状は上型と下型の突き合わせとなるため、エッジ形状となる。しかしながら、開口端に接近させてリブ５が形成されるため開口端のエッジに手指が触れるのを防止することができる。貫通孔３の下端開口縁には、型の精度や磨滅などの理由によってバリが形成される可能性があるが、このバリは貫通孔３の開口端であるため容易に除去することができる。また、上型６と下型７にズレを生じても、このズレは微少なリブ位置のズレとして表れる。したがって、上型６と下型７に多少ズレを生じても支障なく成型することができるように、リブ５を貫通孔３の開口端縁から少し離れた位置に配置しておくとよい。
【０００１０】
図４は、把手１を裏返して見た斜視図である。この実施形態では、把手１の幅方向に三個の貫通孔３，３を一列に配置し、三個の貫通孔を取り囲むようにリブ５を形成している。リブ５は、図７に示すように幅方向へ直線的に、例えば貫通孔３の列の掴み部1b側に形成してもよい。またリブ５は、把手１の掴み部1b側だけでなく、図７に点線で示すように取付部1a側にも形成するとよい。図４や図６に示すように、リブ５を貫通孔を周回させる態様で設けるものでは、取付部1a側の貫通孔の開口縁に手指が触れるのを防止することができる。そのため、掴み部1bと取付部1aの境界部分だけでなく、掴み部1bにも貫通孔３を設けることができる。この場合、貫通孔３は掴み部1bの冷却効果を高める効果があるとともに、手指の滑り止めとして機能する実益がある。
【００１１】
図５は図４の把手１の型の一例を示す断面図である。この実施形態では、上型６にのみ貫通孔成型部８を突出させ、この貫通孔成型部８が下型７の平面部分に当接するようにし、下型７の平面部分にリブ形成溝９を形成している。しかしながら把手１側面のパートラインは、厚みの中心部に設定している。これにより、把手１は上表面の外周縁だけでなく、下表面の外周縁も丸みのある形状として成型することができる。
【００１２】
本発明は、ホットプレートなどの電気加熱調理器だけでなく、各種の調理器用把手として応用することができる。図８の(a) はホットプレートの蓋把手に応用した一例、図８の(b) はホットプレートの調理体用の把手に応用した一例、図８の(c) は通常のなべ用把手に応用した一例をそれぞれ示している。
【００１３】
【発明の効果】
請求項１記載の本発明の調理器用把手によれば、貫通孔を形成する把手の成型に際し、貫通孔の内部にバリや型のズレによる段が形成されないため、その製造が容易なものとなる。そして、貫通孔の開口端表面にリブを形成することによって、エッジ状に形成される貫通孔の開口端縁に手指が触れないため、特別な仕上げ加工を施さなくても安全に使用することができる。
【００１４】
請求項２記載の発明によれば、貫通孔の開口端を周回するように形成することによって、把手の掴み部側だけでなく取り付け部側からも貫通孔の開口端に手指が触れるのを防止することができる。そのため、貫通孔を掴み部と取り付け部の境界部分だけでなく、掴み部にも形成し放熱効果を高めることができるとともにリブを手指の滑り止めとして機能させることができる。
【００１５】
請求項３記載の発明によれば、貫通孔を形成する把手の、全ての外周縁に丸みをもたせた安全に使用できるものを提供することができる。
【図面の簡単な説明】
【図１】本発明の調理器用把手をホットプレートの調理体に装着した一例を示す縦断面図、
【図２】図２は図１の把手の貫通孔部分の拡大縦断面図、
【図３】図３は貫通孔部分を成型する型の縦断面図、
【図４】図４は、把手を裏返して見た斜視図、
【図５】図５は把手を成型する型の一例を示す断面図、
【図６】リブ形状の一例を示す把手の底面図、
【図７】リブ形状の他の一例を示す把手の底面図、
【図８】本発明を応用する把手の一例を示す斜視図、
【図９】従来の把手をホットプレートの調理体に装着した状態の縦断面図。
【符号の説明】
１…把手、  1a…取り付け部、1b…掴み部、２…調理体、  ３…貫通孔、  3a…上端開口縁、  ４…取り付け金具、  ５…リブ、  ６…上型、  ７…下型、  ８…貫通孔成型部、  ９…リブ成型溝。
【図１】
0003690963.tif 000002
【図２】
0003690963.tif 000003
【図３】
0003690963.tif 000004
【図４】
0003690963.tif 000005
【図５】
0003690963.tif 000006
【図６】
0003690963.tif 000007
【図７】
0003690963.tif 000008
【図８】
0003690963.tif 000009
【図９】
0003690963.tif 000010